(57)【要約】【課題】チャイルドシートのシェルに対して日除けを、、ガタつきがなく低コストで簡単に固定できる日除け付きチャイルドシートを提供する。【解決手段】日除けの固定端部がチャイルドシートのシェル側面との係合手段を有し、前記係合手段が、チャイルドシートのシェル側面上方に設けられた上方縁部と、前記上方縁部から離間して設けられた下方縁部と、前記固定端部に前記上方縁部と係合する上方係合部と、前記下方縁部と係合する下方係合部を設ける。【選択図】図１
0003127412.tif 000002
【実用新案登録請求の範囲】
【請求項１】
チャイルドシートの左右両側面部に固定される日除けが、左右一対の固定端部と、前記固定端部間を橋絡して、その両端部が前記固定端部間の軸線に対して回動可能に接続された複数の橋絡部材と、前記橋絡部材間に配置された遮光カバーを有し、前記固定端部がチャイルドシートのシェル側面との係合手段を有し、前記係合手段が、チャイルドシートのシェル側面上方に設けられた上方縁部と、前記上方縁部から離間して設けられた下方縁部と、前記固定端部に設けられた、前記上方縁部と係合する上方係合部と、前記下方縁部と係合する下方係合部を有する事を特徴とした日除け付きチャイルドシート。
【請求項２】
チャイルドシートの左右両側面部に固定される日除けが、左右一対の固定端部と、前記固定端部間を橋絡して、その両端部が前記固定端部間の軸線に対して回動可能に接続された複数の橋絡部材と、前記橋絡部材間に配置された遮光カバーを有し、前記固定端部がチャイルドシートのシェル側面との係合手段を有し、前記係合手段が、チャイルドシートのシェル側面上方に設けられた上方縁部と前記上方縁部から離間して設けられた下方縁部と、前記固定端部に設けられた、前記上方縁部と係合する複数の上方係合部と、前記下方縁部と係合する下方係合部を有し、前記複数の上方係合部は、前記下方係合部の係合面に対する垂線に対して夫々が離間して設けられる事を特徴とした日除け付きチャイルドシート。
【請求項３】
チャイルドシートの左右両側面部に固定される日除けが、左右一対の固定端部と、前記固定端部間を橋絡して、その両端部が前記固定端部間の軸線に対して回動可能に接続された複数の橋絡部材と、前記橋絡部材間に配置された遮光カバーを有し、前記固定端部がチャイルドシートのシェル側面との係合手段を有し、前記係合手段が、チャイルドシートのシェル側面上方に設けられた上方縁部と前記上方縁部から離間して設けられた下方縁部と、前記固定端部に設けられた、前記上方縁部と係合する複数の上方係合部と、前記下方縁部と係合する下方係合部を有し、前記複数の上方係合部は、前記下方係合部の係合面に対する垂線に対して夫々が離間して設けられ、更に、前記下方係合部の係合面に対して前記上方縁部は、夫々外側位置が内側位置よりも高く形成される事を特徴とした日除け付きチャイルドシート。
【請求項４】
チャイルドシートの左右両側面部に固定される日除けが、左右一対の固定端部と、前記固定端部間を橋絡して、その両端部が前記固定端部間の軸線に対して回動可能に接続された複数の橋絡部材と、前記橋絡部材間に配置された遮光カバーを有し、前記固定端部がチャイルドシートのシェル側面との係合手段を有し、前記係合手段が、チャイルドシートのシェル側面上方に設けられた上方縁部と、前記上方縁部から離間して設けられた下方縁部と、前記固定端部に設けられた、前記上方縁部と係合する上方係合部と、前記下方縁部と係合する下方係合部を有すると共に、チャイルドシートのシェルに対する前記固定端部が橋絡部材の回動時におっけるガタ止め手段を有する事を特徴とした日除け付きチャイルドシート。
【考案の詳細な説明】
【技術分野】
【０００１】
本考案は、チャイルドシート用の日除けに関するものである。
【背景技術】
【０００２】
自動車に乳幼児を乗せる場合に使用されるチャイルドシートにおいて、車内に差し込む直射日光が乳幼児に当たらない様に遮り、更に必要に応じ乳幼児の視界を妨げ無い様、日除け用の遮光カバーを開閉位置が調整可能で且つ着脱自在な、日除け付きチャイルドシートが存在するが、従来技術においては、日除けをチャイルドシート本体に対して、ホックや面ファスナー、ファスナーで固定していたため、日除けの摂動感や、橋絡部材に対する保持力が足りず、日除けの開度の設定が困難であったりチャイルドシートへの固定が不十分で使用中に脱落する可能性もあった。
【０００３】
又、日除け部の下方に摺動溝を設け、チャイルドシートのシェル上方を挟持する構造が開示されているが、摺動溝の保持力が小さいため、遮光カバーを開閉するタイプの日除けには使用できず、軽量な構造の日除けでのみ使用可能であった。
【０００４】
又、図に示す様に、チャイルドシートのシェルと固定端部に夫々、複数のネジ穴を設け、ネジにより共締め固定する方法が知られている。
【特許文献１】特開２００２−１０４０３２号公報
【特許文献２】特開２００１−１６３０９３号公報
【考案の開示】
【考案が解決しようとする課題】
【０００５】
本考案が解決しようとする課題は、チャイルドシートのシェルに対して日除けを低コストで簡単に固定する事であり、特に、乳幼児の視界を妨げ無い様、日除け用の遮光カバーの開閉位置が調整する際にガタつきがなく、橋絡部材の摂動感や保持力を十分に保ち、使用中に脱落する事が無い日除け付きチャイルドシートを提供することにある。
【課題を解決するための手段】
【０００６】
本考案は上記課題を達成するため、請求項1記載の日除け付きチャイルドシートは、チャイルドシートの左右両側面部に固定される日除けが、左右一対の固定端部と、前記固定端部間を橋絡して、その両端部が前記固定端部間の軸線に対して回動可能に接続された複数の橋絡部材と、前記橋絡部材間に配置された遮光カバーを有し、前記固定端部がチャイルドシートのシェル側面との係合手段を有し、前記係合手段が、チャイルドシートのシェル側面上方に設けられた上方縁部と、前記上方縁部から離間して設けられた下方縁部と、前記固定端部に設けられた、前記上方縁部と係合する上方係合部と、前記下方縁部と係合する下方係合部を有する事を特徴とする。
【０００７】
請求項２記載の日除け付きチャイルドシートは、チャイルドシートの左右両側面部に固定される日除けが、左右一対の固定端部と、前記固定端部間を橋絡して、その両端部が前記固定端部間の軸線に対して回動可能に接続された複数の橋絡部材と、前記橋絡部材間に配置された遮光カバーを有し、前記固定端部がチャイルドシートのシェル側面との係合手段を有し、前記係合手段が、チャイルドシートのシェル側面上方に設けられた上方縁部と、前記上方縁部から離間して設けられた下方縁部と、前記固定端部に設けられた、前記上方縁部と係合する上方係合部と、前記下方縁部と係合する下方係合部を有する日除け付きチャイルドシートにおいて更に、固定端部に設けられた、前記上方縁部と係合する上方係合部を複数箇所に設け、前記複数の上方係合部は、前記下方係合部の係合面に対する垂線に対して夫々が離間して設けられる事を特徴とする。
【０００８】
請求項３記載の日除け付きチャイルドシートは、チャイルドシートの左右両側面部に固定される日除けが、左右一対の固定端部と、前記固定端部間を橋絡して、その両端部が前記固定端部間の軸線に対して回動可能に接続された複数の橋絡部材と、前記橋絡部材間に配置された遮光カバーを有し、前記固定端部がチャイルドシートのシェル側面との係合手段を有し、前記係合手段が、チャイルドシートのシェル側面上方に設けられた上方縁部と前記上方縁部から離間して設けられた下方縁部と、前記固定端部に設けられた、前記上方縁部と係合する複数の上方係合部と、前記下方縁部と係合する下方係合部を有し、前記複数の上方係合部は、前記下方係合部の係合面に対する垂線に対して夫々が離間して設けられる日除け付きチャイルドシートにおいて、下方係合部の係合面に対して前記上方縁部は、夫々外側位置が内側位置よりも高く形成する事を特徴とする。
【０００９】
請求項４記載の日除け付きチャイルドシートは、チャイルドシートの左右両側面部に固定される日除けが、左右一対の固定端部と、前記固定端部間を橋絡して、その両端部が前記固定端部間の軸線に対して回動可能に接続された複数の橋絡部材と、前記橋絡部材間に配置された遮光カバーを有し、前記固定端部がチャイルドシートのシェル側面との係合手段を有し、前記係合手段が、チャイルドシートのシェル側面上方に設けられた上方縁部と、前記上方縁部から離間して設けられた下方縁部と、前記固定端部に設けられた、前記上方縁部と係合する上方係合部と、前記下方縁部と係合する下方係合部を有する日除け付きチャイルドシートにおいて、更に、チャイルドシートのシェルに対する前記固定端部が橋絡部材の回動時におっけるガタ止め手段を有する事を特徴とする。
【考案の効果】
【００１０】
本考案の日除け付きチャイルドシートは、チャイルドシートのシェルに対して日除けを低コストで簡単に固定する事ができ、特に、乳幼児の視界を妨げ無い様、日除け用の遮光カバーの開閉位置が調整する際にガタつきがなく、橋絡部材の摂動感や保持力を十分に保ち、使用中に脱落する事が無いという利点がある。
【考案を実施するための最良の形態】
【００１１】
図面を参照して本発明の実施例を詳細に説明する。
【実施例１】
【００１２】
図１は本発明のチャイルドシートに対する日除けの装着状態を示した説明図、図２は本発明のチャイルドシートに対する日除けを外した状態を示した説明図、図３は本発明のチャイルドシートに対する日除けの装着状態の要部断面図、図4と図５は本発明のチャイルドシートに対する日除けの回動状態を示す説明図である。
【００１３】
チャイルドシート１の左右両側面部に固定される日除け２が、左右一対の固定端部３と、前記固定端部間を橋絡して、その両端部が前記固定端部間の軸線に対して回動可能に接続された複数の橋絡部材４と、前記橋絡部材間に配置された遮光カバー５を有し、前記固定端部３が樹脂成型品からなるチャイルドシートのシェル側面１１との係合手段を有し、前記係合手段が、チャイルドシートのシェル側面上方に設けられた上方縁部１２と前記上方縁部１２から離間して設けられた下方縁部１３と、前記固定端部３に設けられた、前記上方縁部１２と係合する左側の上方フック３１ａと、右側の上方フック３１ｂと前記下方縁部１３と係合する下方フック３２を有し、前記の上方フック３１ａ、３１ｂは、前記下方フック３２の係合面３２ｃに対する垂線６に対して夫々が離間して設けられ、前記固定端部３は橋絡部材４の回転軸４１を内封する三箇所のフック３１ａ、３１ｂ、３２でチャイルドシートのシェル側面１１と係合するため、遮光カバー５の開閉位置を調整する際の回転力に対するガタつきを防止する事が出来る。
【００１４】
尚、本実施例において、チャイルドシート１のシェル側面１１の上方に設けられた上方縁部１２の上方フック３１との係合位置は、前記下方フック部３２の係合面３２ｃに対して、夫々外側位置１２ａ、１２ｄが内側位置１２ｂ、１２ｃよりも高く形成すると、効率的に日除け用の遮光カバーの開閉位置が調整する際の回転力に対するガタつきを防止する事が出来る。
【００１５】
尚、本実施例において、図６に示す様に、固定端部３が、チャイルドシート１のシェル側面１１との係合手段を有するベース部材３５と、前記ベース部材３５に対して着脱可能な固定基部３６より構成される様にしても良い。
【実施例２】
【００１６】
図７は本発明のチャイルドシートに対する日除けの装着状態を示した説明図、図８は本発明のチャイルドシートに対する日除けを外した状態を示した説明図、図９は本発明のチャイルドシートに対する日除けの装着状態の要部断面図である
【００１７】
チャイルドシート１の左右両側面部に固定される日除け２が、左右一対の固定端部３と、前記固定端部間を橋絡して、その両端部が前記固定端部間の軸線に対して回動可能に接続された複数の橋絡部材４と、前記橋絡部材間に配置された遮光カバー５を有し、前記固定端部３が樹脂成型品からなるチャイルドシート１のシェル側面１１との係合手段を有し、前記係合手段が、チャイルドシート１のシェル側面１１の上方に設けられた上方縁部１２と、前記上方縁部１２から離間して設けられた下方縁部１３と、前記固定端部３に設けられた前記上方縁部１２と係合する上方フック３１と、前記下方縁部１３と係合する下方フック３２を有する。
【００１８】
更に前記上方縁部１２の両端部には前記上方フック３１の両端部と夫々当接する当接面１２ｅ、１２ｆを設け、前記下方縁部の両端には前記下方フック３２の両端部と当接する当接面１２ｇ、１２ｈを設ける事により、日除け用の遮光カバー５の開閉位置を調整する際の回転力に対するガタつきを防止できる。
【００１９】
尚、前記上方縁部１２の当接面若しくは、前記下方孔部１３の当接面を設ける代わりに、前記係合手段とは異なる位置に、シェル側面１１に対する固定端部のガタ止め手段として、例えばチャイルドシート１のシェル側面１１の一部に凹部を設け、前記固定端部３の前記シェル側面１１の凹部との当接位置に凸部を設け、日除け用の遮光カバーの開閉位置が調整する際の回転力に対するガタつきを防止しても良い。（図示せず）
【産業上の利用可能性】
【００２０】
本考案の日除け付きチャイルドシートは、チャイルドシートのシェルに対して日除けを低コスト固定する事ができ、更にチャイルドシート本体に対して、日除けを別売品としても、その取付けに工具を必要としないため消費者が簡単に日除けを取り付ける事が出来、又、乳幼児の視界を妨げ無い様、日除け用の遮光カバーの開閉位置が調整する際にガタつきがなく、橋絡部材の摂動感や保持力を十分に保ち、使用中に脱落する事が無い商品を安定的に供給できるものである。
【図面の簡単な説明】
【００２１】
【図１】本発明のチャイルドシートに対する日除けの装着状態を示した説明図である。（実施例１）
【図２】本発明のチャイルドシートに対する日除けを外した状態を示した説明図である。（実施例１）
【図３】本発明のチャイルドシートに対する日除けの装着状態の要部断面図である。（実施例１）
【図４】本発明のチャイルドシートに対する日除けの回動状態を示す説明図である。（実施例１）
【図５】本発明のチャイルドシートに対する日除けの回動状態を示す説明図である。（実施例１）
【図６】本発明のチャイルドシートに対する日除けを外した状態を示す説明図である。（実施例１）
【図７】本発明のチャイルドシートに対する日除けの装着状態を示した説明図である。（実施例２）
【図８】本発明のチャイルドシートに対する日除けを外した状態を示した説明図である。（実施例２）
【図９】本発明のチャイルドシートに対する日除けの装着状態の要部断面図である。（実施例２）
【符号の説明】
【００２２】
１    チャイルドシート  
２    日除け
３    固定端部
４    橋絡部材
５    遮光カバー  
６    垂線
７    クッション
１１  シェル側面    
１２  上方縁部
１２ａ外側位置
１２ｂ内側位置
１２ｃ内側位置
１２ｄ外側位置
１２ｅ当接部
１２ｆ当接部
１２ｇ当接部
１２ｈ当接部
１３  下方縁部  
３１  上方フック  
３１ａ上方フック
３１ｂ上方フック
３２  下方フック  
３５  ベース部材
３６  固定基部
【図１】
0003127412.tif 000003
【図２】
0003127412.tif 000004
【図３】
0003127412.tif 000005
【図４】
0003127412.tif 000006
【図５】
0003127412.tif 000007
【図６】
0003127412.tif 000008
【図７】
0003127412.tif 000009
【図８】
0003127412.tif 000010
【図９】
0003127412.tif 000011